(57)【要約】【課題】  従来のものより製造コストを下げながら封入された昇華性防虫剤から昇華されるガス量を制御できる防虫剤包装体を提供する。【解決手段】  昇華性防虫剤３を封入する包装袋２を化繊紙５／ポリプロピレン層６／延伸ポリプロピレンフィルム７／ポリプロピレンシーラント層８の積層フィルム４により形成する。【選択図】  図２
2005349756.tif 000002
【特許請求の範囲】
【請求項１】
包装袋と、包装袋に封入された昇華性防虫剤とを有する防虫剤包装体において、包装袋が化繊紙／ポリプロピレン層／延伸ポリプロピレンフィルム／ポリプロピレンシーラント層の積層フィルムにより形成されていることを特徴とする防虫剤包装体。
【請求項２】
ポリプロピレン層が厚さ１３μｍ〜１７μｍであり、延伸ポリプロピレンフィルムが厚さ２５μｍ〜３０μｍであり、ポリプロピレンシーラント層が厚さ１３μｍ〜１７μｍであることを特徴とする請求項１に記載の防虫剤包装体。
【発明の詳細な説明】
【技術分野】
【０００１】
本発明は、包装袋に封入されたパラジクロルベンゼンのような昇華性防虫剤の昇華量を制御することで長期間の使用を可能にする防虫剤包装体に関する。
【背景技術】
【０００２】
一般に用いられている防虫剤包装体は、積層フィルムにより形成された包装袋と、この包装袋に封入されたパラジクロルベンゼンのような昇華性防虫剤とを有し、昇華性防虫剤から発する昇華成分を包装袋を構成する積層フィルムにより制御することで衣類の長期保存を可能にしている。
【０００３】
防虫剤包装体に用いられる包装袋には、ガス不透過性フィルムで形成し、ガス不透過性フィルムの一部に孔加工を施し、これら孔の大きさや数を選定することにより封入された防虫剤から昇華されるガス量を制御する包装袋と、ガス透過性フィルムで形成し、ガス透過性フィルムの外面にガスバリヤー層をコートすることで封入された防虫剤から昇華されるガス量を制御する包装袋がある。
【０００４】
防虫剤包装体の包装袋としては、製造上および経済的理由から、ガス透過性フィルムにガスバリヤー層をコートした積層フィルムで作られたものが多く用いられている。この積層フィルムの一例として、セルロースコート層／化繊紙／ポリエチレン層／未延伸ポリプロピレン層からなるものは知られている（特許文献１）。
【特許文献１】特開平１０−１４７３７９号公報（段落０００７参照）
【発明の開示】
【発明が解決しようとする課題】
【０００５】
しかしながら、包装袋をセルロースコート層／化繊紙／ポリエチレン層／未延伸ポリプロピレン層からなる積層フィルムで形成した防虫剤包装体は、セルロースコート層を積層フィルムの化繊紙に追加的に塗布する工程を必要とするため、製造コストを下げることに制限があり、また、包装袋の外層にセルロースコート層を設けることで、製品輸送時にセルロースコート層がこすれたり破れたりして、包装袋に封入された防虫剤から昇華されるガス量の制御に支障を来すことがある。
【０００６】
本発明は、上記した点を考慮してなされたもので、従来のものより製造コストを下げることを可能にしながら、包装袋に封入された昇華性防虫剤から昇華されるガス量を適正に制御できる防虫剤包装体を提供することを目的とする。
【課題を解決するための手段】
【０００７】
本発明による防虫剤包装体は、パラジクロルベンゼンのような昇華性防虫剤を封入する包装袋を化繊紙／ポリプロピレン層／延伸ポリプロピレンフィルム／ポリプロピレンシーラント層を有する積層フィルムにより形成し、包装袋に封入された昇華性防虫剤から昇華されるガス量を制御する。
【発明の効果】
【０００８】
本発明による防虫剤包装体は、包装袋を化繊紙／ポリプロピレン層／延伸ポリプロピレンフィルム／ポリプロピレンシーラント層を有する積層フィルムで形成したことで、延伸ポリプロピレンフィルムの具有する昇華性能を利用して、包装袋に封入された昇華性防虫剤から昇華されるガス量を適切に制御することができる。
【発明を実施するための最良の形態】
【０００９】
以下、本発明による防虫剤包装体の実施形態を添付した図面を参照しながら説明する。
【００１０】
本発明による防虫剤包装体１は、図１に示すように、包装袋２と、この包装袋２の内部に封入された昇華性防虫剤３，３とを有する。昇華性防虫剤３は、たとえば、パラジクロルベンゼンを成分とする昇華性防虫剤である。
【００１１】
包装袋２は、積層フィルム４を所定寸法に裁断した包材を端部が背面中央部で突き合わせ接合するように折り曲げ成形し、突き合わせ端部および両側端をヒートシールすることで成形された３方シール包装袋である。防虫剤包装体１に適した包装袋２は、たとえば、幅が２９ｍｍで、長さが６７ｍｍで、背シール長さが８ｍｍである。
【００１２】
本発明者は、パラジクロルベンゼンのような昇華性防虫剤の昇華速度を制御するための包装袋２として、包装袋２を延伸ポリプロピレンフィルム、特に、２軸延伸ポリプロピレンフィルムを含む積層フィルム４により形成することが望ましいことを実験により確認した。
【００１３】
積層フィルム４は、図２に示すように、坪量１４ｇ／ｍ２の化繊紙５と厚さ１３μｍのポリプロピレン層６と厚さ２５μｍの２軸延伸ポリプロピレンフィルム７と厚さ１７μｍのポリプロピレンシーラント層８とを有する４層構造である。この場合、積層フィルム４の２軸延伸ポリプロピレンフィルム７は、１軸延伸ポリプロピレンフィルムであってもよい。なお、化繊紙は、レーヨン繊維や化学繊維を原料としたレーヨン紙や雲竜紙等である。
【００１４】
防虫剤包装体１に用いられる包装袋２の厚さを考慮すると、積層フィルム４の２軸延伸ポリプロピレンフィルム７は、厚さが２５μｍ〜３０μｍであり、ポリプロピレン層６は、厚さが１３μｍ〜１７μｍであり、ポリプロピレンシーラント層８は、厚さが１３μｍ〜１７μｍであることが好ましい。
【００１５】
積層フィルム４のポリプロピレン層６およびポリプロピレンシーラント層８は、ポリプロピレン樹脂を溶融押し出しすることで形成される。２軸延伸ポリプロピレンフィルム７のポリプロピレンシーラント層８に隣接する面に図示しない印刷層を設けることができる。
【００１６】
防虫剤包装体の昇華性能は、包装袋２の表面積および積層フィルム４の化繊紙を除くポリプロピレン層／２軸延伸ポリプロピレンフィルム／ポリプロピレンシーラント層のうちの延伸ポリプロピレンフィルムの厚さにより決められる。
【００１７】
図３は、本発明による防虫剤包装体Ａと従来の防虫剤包装体による防虫剤（パラジクロルベンゼン）の昇華特性を比較した図である。
【００１８】
１）包装袋のフィルム構成
ａ）本発明Ａ
坪量１４ｇ／ｍ２化繊紙／厚さ１３μｍポリプロピレン層／厚さ２５μｍ２軸延伸ポリプロピレンフィルム／厚さ１７μｍポリプロピレン層
ｂ）従来品
セルロースコート層／坪量１４ｇ／ｍ２化繊紙／厚さ１３μｍポリエチレン層／厚さ２０μｍ未延伸ポリプロピレン層
【００１９】
２）実験条件
防虫剤を封入した包装袋を、温度２５℃で湿度６０％に設定した恒温室内に配置し、防虫剤の昇華による包装袋の重量変化を時間の経過により測定した。
【００２０】
３）実験結果
本発明Ａは、従来品より３０％程度の昇華抑制効果があった。  本発明による防虫剤包装体１は、包装袋２を化繊紙／ポリプロピレン層／２軸延伸ポリプロピレンフィルム／ポリプロピレンシーラント層の積層フィルムで構成することで、従来の防虫剤包装体よりも製造コストを下げることができ、さらには、業界で要望している防虫剤（パラジクロルベンゼン）の昇華速度を３０％抑制することができた。
【００２１】
なお、防虫剤包装体１の包装袋を坪量１４ｇ／ｍ２化繊紙／厚さ１３μｍポリプロピレン層／厚さ２５μｍ２軸延伸ポリプロピレンフィルム／厚さ１３μｍポリプロピレン層の積層フィルムとしても、従来の防虫剤包装体よりも抑制された防虫剤昇華量であった。
【図面の簡単な説明】
【００２２】
【図１】本発明による防虫剤包装体の一例を示す斜視図である。
【図２】本発明による防虫剤包装体の包装袋の構成を示す断面図である。
【図３】本発明による防虫剤包装体と従来の防虫剤包装体との昇華特性を比較した図である。
【符号の説明】
【００２３】
１  防虫剤包装体
２  包装袋
３  防虫剤
４  積層フィルム
６  ポリプロピレン層
７  ２軸延伸ポリプロピレンフィルム
８  ポリプロピレンシーラント層
【図１】
2005349756.tif 000003
【図２】
2005349756.tif 000004
【図３】
2005349756.tif 000005